(57)【要約】【課題】ユーザーがメニュー内の任意の選択した調整項目をカスタマイズメニューとして登録し、階層型メニューの最上位階層にして、画面表示のときに優先して表示させて、メニュー操作を少なくした登録方法及び映像機器を提供する。【解決手段】階層型メニューにおけるカスタマイズメニューの登録方法は、映像機器に関する各種設定を調整するための調整項目のうち主要項目からなる上位階層メニューと該上位階層メニューの主要項目に対応した細部項目からなる下位階層メニューを階層別に分類した階層型メニューにカスタマイズメニューを登録する方法であって、所定の設定操作に応じて、前記階層型メニューの下位階層メニューの細部項目を選択可能な状態に画面表示し、該画面表示された細部項目の中から選択される所望の調整項目を所定の決定操作によって前記カスタマイズメニューに登録し、前記登録された調整項目からなるカスタマイズメニューを前記階層型メニューの最上位階層に位置づけることである。【選択図】図５
2006099803.tif 000002
【特許請求の範囲】
【請求項１】
映像機器に関する各種設定を調整するための調整項目のうち主要項目からなる上位階層メニューと該上位階層メニューの主要項目に対応した細部項目からなる下位階層メニューを階層別に分類した階層型メニューにカスタマイズメニューを登録する方法であって、
所定の設定操作に応じて、前記階層型メニューの下位階層メニューの細部項目を選択可能な状態に画面表示し、該画面表示された細部項目の中から選択される所望の調整項目を所定の決定操作によって前記カスタマイズメニューに登録し、前記登録された調整項目からなるカスタマイズメニューを前記階層型メニューの最上位階層に位置づけることを特徴とする階層型メニューにおけるカスタマイズメニューの登録方法。
【請求項２】
前記カスタマイズメニューに登録した調整項目を、登録した順序で表示するとともに、前記上位階層メニューへ移行するための項目を表示することを特徴とする請求項１に記載の階層型メニューにおけるカスタマイズメニューの登録方法。
【請求項３】
各種設定を調整するための調整項目のうち主要項目からなる上位階層メニューと該上位階層メニューの主要項目に対応した細部項目からなる下位階層メニューを階層別に分離した階層型メニューにカスタマイズメニューを登録することができる機能を備えた映像機器であって、
前記階層型メニューに対する操作及び前記調整項目に関する操作を行なうための操作手段と、
前記階層型メニューに関するプログラムを保持し、該階層型メニューに対する操作に応じた制御を実行することができる制御手段と、
前記階層型メニューを表示させるための表示信号を生成する表示信号生成手段と、
入力映像信号と前記表示信号生成手段からの表示信号を切り換える切換手段と、
前記切換手段により切り換えられた信号を表示する表示手段と、
を備え、
前記制御手段は、前記操作手段による所定の設定操作に応じて、前記切換手段を切り換え、前記表示信号生成手段で生成される前記階層型メニューの下位階層メニューの細部項目を前記表示手段に表示させ、該表示させた細部項目の中から選択される調整項目を前記カスタマイズメニューに登録し、該カスタマイズメニューを前記階層型メニューの最上位階層に位置づけすることを特徴とするカスタマイズメニューを備えた映像機器。
【請求項４】
前記制御手段は、前記操作手段による所定の操作に応じて、前記階層型メニューに前記カスタマイズメニューが追加されているか否かを判別し、前記カスタマイズメニューが追加されているときは、該カスタマイズメニューを画面表示し、前記カスタマイズメニューが追加されていないときは、前記上位階層メニューを画面表示することを特徴とする請求項３に記載のカスタマイズメニューを備えた映像機器。
【発明の詳細な説明】
【技術分野】
【０００１】
本発明は、テレビジョン受像機やビデオテープレコーダ等のディスプレイを備えた映像機器において、画面に調整項目を表示して調整を行なう階層型メニューの改良に関するものであり、特にユーザの使用頻度に応じた調整項目をリストアップしてメニューとして位置付けた階層型メニューにおけるカスタマイズメニューの登録方法及びカスタマイズメニューを備えた映像機器に関する。
【背景技術】
【０００２】
近年、例えばテレビ、ビデオ等のＡＶ機器分野においては、性能向上や機能増加は著しく、メニューによって調整する項目の数も増え、メニュー操作が非常に複雑化している。そのために、それぞれのユーザーに対して調整をよく行う項目というのは一意には決められないが、全てのユーザーに対して、如何に少ない操作でよく調整する項目をメニューの中から選択するかということが望まれている。
【０００３】
かかる状況から、従来の階層型メニュー方式では、メニューの中で選択できる項目が増えれば増えるほど、各項目を分類したサブメニュー（２階層目以降のメニュー）を形成し、結果的には階層数が多くなるメニューとなっていた。
【特許文献１】特開平４−９８３１０号公報（第３頁乃至第５頁、第３図）
【発明の開示】
【発明が解決しようとする課題】
【０００４】
ところで、例えばテレビジョン受像機、ビデオテープレコーダ等に於いては、それぞれのユーザーに対して調整をよく行う調整項目というのは一意には決められないが、全てのユーザーに対して、如何に少ない操作で、よく調整する調整項目をメニューの中から選択させるということが要求されている。
【０００５】
しかし、ユーザーが自分の選択したい調整項目を何度も選ぶ場合に、その調整項目が多くの階層で構成されているメニューの下の階層にあれば、（１）選択（２）決定というメニュー操作をその度ごとに階層数だけ行わなければならず非常に使いにくいという問題点がある。
【０００６】
又、階層型メニューの中の複数の項目を連続して選択することがよくある場合には、従来の操作だと、ある階層の項目を選択して、再び別の階層のメニューに移動して調整項目を選択するという非常に複雑で、しかも操作過程を多く踏まねばならない方式しかなかった。
【０００７】
そこで、本発明は、かかる従来の実状に鑑みて提案されたものであって、特に非常に少ないメニュー操作によって、それぞれのユーザーが選択した調整項目を選ばせることができる階層型メニューにおけるカスタマイズメニューの登録方法及びカスタマイズメニューを備えた映像機器を提供することを目的とする。
【課題を解決するための手段】
【０００８】
上記課題を解決するために、本発明に係る階層型メニューにおけるカスタマイズメニューの登録方法及びカスタマイズメニューを備えた映像機器は次に示すようにすることである。
（１）階層型メニューにおけるカスタマイズメニューの登録方法は、映像機器に関する各種設定を調整するための調整項目のうち主要項目からなる上位階層メニューと該上位階層メニューの主要項目に対応した細部項目からなる下位階層メニューを階層別に分類した階層型メニューにカスタマイズメニューを登録する方法であって、所定の設定操作に応じて、前記階層型メニューの下位階層メニューの細部項目を選択可能な状態に画面表示し、該画面表示された細部項目の中から選択される所望の調整項目を所定の決定操作によって前記カスタマイズメニューに登録し、前記登録された調整項目からなるカスタマイズメニューを前記階層型メニューの最上位階層に位置づけることである。
（２）前記カスタマイズメニューに登録した調整項目を、登録した順序で表示するとともに、前記上位階層メニューへ移行するための項目を表示することを特徴とする（１）に記載の階層型メニューにおけるカスタマイズメニューの登録方法。
【０００９】
（３）カスタマイズメニューを備えた映像機器は、各種設定を調整するための調整項目のうち主要項目からなる上位階層メニューと該上位階層メニューの主要項目に対応した細部項目からなる下位階層メニューを階層別に分離した階層型メニューにカスタマイズメニューを登録することができる機能を備えた映像機器であって、前記階層型メニューに対する操作及び前記調整項目に関する操作を行なうための操作手段と、前記階層型メニューに関するプログラムを保持し、該階層型メニューに対する操作に応じた制御を実行することができる制御手段と、前記階層型メニューを表示させるための表示信号を生成する表示信号生成手段と、入力映像信号と前記表示信号生成手段からの表示信号を切り換える切換手段と、前記切換手段により切り換えられた信号を表示する表示手段と、を備え、前記制御手段は、前記操作手段による所定の設定操作に応じて、前記切換手段を切り換え、前記表示信号生成手段で生成される前記階層型メニューの下位階層メニューの細部項目を前記表示手段に表示させ、該表示させた細部項目の中から選択される調整項目を前記カスタマイズメニューに登録し、該カスタマイズメニューを前記階層型メニューの最上位階層に位置づけすることである。
（４）前記制御手段は、前記操作手段による所定の操作に応じて、前記階層型メニューに前記カスタマイズメニューが追加されているか否かを判別し、前記カスタマイズメニューが追加されているときは、該カスタマイズメニューを画面表示し、前記カスタマイズメニューが追加されていないときは、前記上位階層メニューを画面表示することを特徴とする（３）に記載のカスタマイズメニューを備えた映像機器。
【００１０】
このような構成にしたことにより、ユーザーがよく使用する調整項目を選択してカスタマイズメニューに登録することが可能であり、このカスタマイズメニューが階層型メニューの最上位階層に位置付けられ、所定のメニュー表示操作の実行により、階層型メニューの最上位階層となるカスタマイズメニューが画面表示されるので、ユーザーが必要とする調整項目を非常に少ないメニュー操作で選択することができるようになる。
【発明の効果】
【００１１】
以上の説明からも明らかなように、本発明に係る階層型メニューにおけるカスタマイズメニューの登録方法及びカスタマイズメニューを備えた映像機器は、ユーザーがよく選択するメニュー調整項目をカスタマイズメニューに登録すると、このカスタマイズメニューが階層型メニューの最上位階層に位置づけられ、所定のメニュー表示操作を実行したときに、階層型メニューにカスタマイズメニューが追加されているときは、このカスタマイズメニューを最初に画面表示させることで、ユーザーが非常に少ないメニュー操作で必要とする調整項目を迅速且つ簡単に選択して適宜調整することができるという効果がある。
【発明を実施するための最良の形態】
【００１２】
次に、本発明に係る階層型メニューにおけるカスタマイズメニューの登録方法及びカスタマイズメニューを備えた映像機器について、テレビジョンシステム、階層型メニュー、階層型メニューにおけるカスタマイズメニューの順に図面を参照にして説明する。
【実施例１】
【００１３】
テレビジョンシステム１は、図１に示すように、テレビジョン受像機本体２と、メニューの操作及びチャンネルの設定等を行なうリモコン１０とから構成されている。
【００１４】
テレビジョン受像機本体２は、メニューの操作及びチャンネルや音声の音量等を操作する本体キー３と、リモコン受光部４と、本体キー３及びリモコン１０からの操作により駆動するシステムマイコン５と、画面上にメニュー項目を表示させるデータからなる表示信号を生成する画面表示デバイス６と、映像信号を受信する映像信号処理ブロック７と、映像信号に表示信号をスーパーインポーズしたり又は映像信号及び表示信号の単独の表示を選択するスイッチ８と、スイッチ８により選択された信号を表示するＣＲＴ等からなるディスプレイ９とから構成されている。
【００１５】
本体キー３とリモコン１０には、図示していないがメニューの操作及びチャンネル設定、音量の調整等を行なう調整キーを備えており、メニュの操作はメニューキー、アップキー、ダウンキー、決定キーの４つの調整キーで行う。
【００１６】
このメニューキーは、ディスプレイ９の画面上にメニューを表示させたり消したりするときに使用する。アップキー、ダウンキーは、メニュー内でのカーソルの上下移動、そして画面上に表示されている各調整項目の調整値変更の際に使用する。決定キーはあるメニューから別のメニュー画面への移行や調整値の決定時に使用する。
【００１７】
システムマイコン５は、階層型メニュー及びカスタマイズメニューに関する制御プログラム及びデータが組み込まれており、テレビジョン受像機本体２の調整を含む主要な機能を制御する。
【００１８】
このような構成からなるテレビジョンシステム１は、ユーザーが本体キー３又はリモコン１０を操作することによりシステムマイコン５を駆動することができる。
ユーザーがリモコン１０を操作した場合には、リモコン１０からの信号をリモコン受光部４で検出してシステムマイコン５に送る。本体キー３を操作した場合には、操作したデータがシステムマイコン５に直接入力される。
【００１９】
本体キー３又はリモコン受光部４からの信号を入力したシステムマイコン５は、入力した信号をデコードし、現在の状態に応じて、映像信号処理ブロック７及び画面表示デバイス６に対してメニュー操作が行なわれた制御信号を送る。
【００２０】
画面表示デバイス６は、メニュー操作の制御信号を受け取ると表示タイミングに合わせてスイッチ８をコントロールし、ディスプレイ９の画面上にカスタマイズメニューをスーパーインポーズ（重畳表示）する。
【００２１】
階層型のメニュー１１は、図２に示すように、テレビジョンシステム１のテレビジョン受像機本体２を調整する主要項目からなるメインメニュー１２と、メインメニュー１２で示した項目に応じた細部項目からなるサブメニュー１３とから構成されている。
【００２２】
メインメニュー１２の項目は、”画質”、”音質”、”画面モード”、”各種設定”の項目から成り立っている。
【００２３】
サブメニュー１３は、”画質”の項目に相当する画質サブメニュー１４は、「戻る」、「ピクチァー」、「色合い」、「色の濃さ」、「明るさ」、「シャープネス」からなる。
【００２４】
サブメニュー１３の”音質”の項目に相当する音質サブメニュー１５は、「戻る」、「高音」、「低音」、「バランス」、「サラウンド」、「スピーカ」からなる。
【００２５】
サブメニュー１３の”画面モード”の項目に相当する画面モードサブメニュー１６は、「戻る」、「ズーム」、「ノーマル」、「フル」、「画面位置上下」、「縦サイズ」、「画面位置左右」、「横サイズ」からなる。
【００２６】
サブメニュー１３の”各種設定”の項目に相当する各種設定サブメニュー１７は、「戻る」、「カスタム設定」、「画面表示」、「消画」、「方角補正」、「言語」からなる。
【００２７】
このような構成からなる階層型メニュー１１は、図３（Ａ）に示すように、メニューキーをオンするとメインメニュー１２の項目が上下に順序よくディスプレイ９の画面上に表示され、表示された項目の内、カーソル１８は”画質”の項目を指す構成となっている。ユーザーは、アップキー、ダウンキーによって、このカーソル１８を上下に移動させて、自分の調整したい項目をメインメニュー１２の中から１つ選択し、決定キーを押すことで、サブメニュー選択操作に移行する。
【００２８】
例えば、メインメニュー１２で”画質”の項目を選択して決定キーを押した場合には、図３（Ｂ）に示すサブメニュー１３の画質サブメニュー１４がディスプレイ９の画面に表示される。この時、カーソル１８の位置は”戻る”を指しており、この状態で決定キーを押せば、図３（Ａ）に示す１つ上の階層であるメインメニュー１２（図３（Ａ）参照）に戻る。
【００２９】
この画質サブメニュー１４は、画質調整項目を選択するメニューであり、具体的な調整値の変更はこのメニューで行なう。この画質メニュー１４における各調整項目は、「ピクチャー」、「色合い」、「色の濃さ」、「明るさ」、「シャープネス」の５つの項目からなり、それぞれの項目の右側に調整値１９が表示されている。
【００３０】
この調整値１９を変更する場合には、図３（Ｂ）に示す画面で、アップキー、ダウンキーによりカーソル１８を移動して決定して下位階層の調整値変更画面に移行する。
【００３１】
例えば、「色の濃さ」を調整したい場合には、画質サブメニュー１４の項目「色の濃さ」にカーソル１８を移動して決定キーを押すと、図４（Ａ）に示すように、画質調整値を変更するメニュー２０をディスプレイ９の画面上に表示する。この画面は実際に調整値を変更するメニュー２０の画面であり、アップキー、ダウンキーによって調整値を増やしたり、減らしたりして新しい調整値にする。図４（Ａ）のメニュー２０の画面においては、アップキーによって色の濃さを”１２”から”１４”に設定変更したものである。ここで決定キーを押せば、図４（Ｂ）に示すように、新しい調整値（図において色の濃さが”１４”）が保持され、画質調整項目選択メニューに戻る。
【００３２】
このように、階層型メニュー１１の一連の操作は、以上のようなプロセスを経て実現される。メニューを階層化させ、調整項目を各種別ごとに分類してサブメニュー１３を作ることで、ユーザーが調整したい項目は見つけ易くなる。その一方でこの階層型メニュー１１を目的とする“調整値の変更操作”を行うまでには、上位階層のメニュー項目の選択を何度も行わなければならず、同じ調整項目を例えばテレビジョン受像機の電源を入れる度に調整するような場合には、その項目を選択するまでの余計な項目選択操作を何度も行わなければならない。特にメニューの階層が増え調整項目が階層の下の方にあればあるほど、調整項目を選択するまでのメニュー操作が増えてしまう。このような欠点を有する階層型メニュー１１においては、如何にして少ない操作ステップで目的とする調整項目を選択することができるかがこの階層メニュー１１を採用しているテレビジョンシステム１の性能を向上させる鍵になる。
【００３３】
その１つとして、次に述べる階層型メニューにおけるカスタマイズメニューについて説明する。
【００３４】
階層型メニュー２１は、上記図２に示す階層型メニュー１１と同様の構成となっており、テレビジョン受像機本体２を調整する主要調整項目からなるメインメニュー１２と、このメインメニュー１２で示した調整項目に応じた細部項目からなるサブメニュー１３とから構成されている。
【００３５】
階層型メニューにおけるカスタマイズメニュー２２は、図５に示すように、階層型メニュー１１に追加及び削除できるようにして、階層型メニューの上位階層に位置付けする構成になっている。そしてその内容は、ユーザーが良く選択する調整項目から構成される。
【００３６】
また、カスタマイズメニュー２２は、図５に示すように、後述するメニューの調整項目の１つである「入／切」の選択により階層型メニュー２１に追加及び削除される構成となっており、好ましくは階層型メニュー２１の最上位階層に位置される構成になっている。
【００３７】
この「入／切」の項目は、サブメニュー１３の各種設定の項目の「カスタム設定」に含まれており、階層型メニュー２１への追加及び削除機能に加えてカスタマイズメニュー２２を画面上に表示しないようにした項目でもある。
【００３８】
図５におけるユーザが良く行なう調整項目を予め登録したカスタマイズメニュー２２の項目は、「低音」、「縦サイズ」、「言語」、「色合い」、「シャープネス」である。
尚、登録されている調整項目は、単に例示であり、ユーザの利用形態により自由に設定変更できることは勿論のことである。
【００３９】
「カスタム設定」を選択してカスタマイズ調整メニューを「入」にすると、メニューキーでメニューをオンした時に、図６（Ａ）に示すように、ユーザーが登録したカスタマイズメニュー２２がディスプレイ９の画面上に表示される。
【００４０】
画面上に表示されたカスタマイズメニュー２２は、ユーザーがすでに登録した調整項目である、例えば「低音」、「縦サイズ」、「言語」、「色合い」、「シャープネス」の５つがカスタマイズメニュー２２として上下に列をなして表示すると共に、それぞれの登録した項目の右側には調整値２３を表示する。そして表示した項目の最下列には「メインメニュー」の項目を表示する構成となっている。この「メインメニュー」の項目にカーソル１８を移動して決定すると、カスタマイズメニュー２２の下位階層のメインメニュー１２の画面（図３（Ａ）参照）に移行する。
【００４１】
このようにして画面上に表示されたカスタマイズメニュー２２の調整値２３は、メインメニュー１２やサブメニュー１３にある項目の階層を選択しなくとも、画面上に表示した調整項目毎の調整値を適宜設定変更できるようになっている。即ち、図６（Ｂ）に示すように、例えば「言語」を変更したい場合には、カーソル１８を「言語」の項目まで移動して決定キーを押すと調整値２３のところにカーソル１８が位置する。そしてアップキー、ダウンキーを操作して「言語」の調整値２３、例えば日本語、英語等を選択して決定キーを押せば「言語」の調整値２３は決定する。
【００４２】
このようにカスタマイズメニュー２２を取り入れることにより、ユーザーが調整項目を登録すればその項目はメニューの最上位階層にその項目が登録されることになり、より少ないメニュー操作によって必要とする項目に到達して調整値の変更を行うことができるようになる。
【００４３】
次に、カスタマイズメニュー２２に必要な項目を登録する方法を図を参照にして説明する。
【００４４】
まず、図５のメニュー階層図でメインメニュー１２の項目の“各種設定”を選択する。ここで、各種設定サブメニュー１７に画面が移行するのでここで「カスタム設定」を選択する。そうすると、図７（Ａ）に示すように、カスタム設定用項目からなるカスタム設定メニュー２４がディスプレイ９の画面上に表示する。この画面ではメニュー内の全ての調整可能な項目が一覧表示されており、カーソル１８をアップキー、ダウンキーで移動して、その全ての項目をカーソル１８で選べるようになっている。調整項目を登録する場合には登録した項目にカーソル１８を移動し決定キーを押す。例えば、図７（Ｂ）に示すように、調整項目の１つである「バランス」を選んで決定した場合は、カスタム設定メニュー領域２５に登録され、登録された順に表示される。
【００４５】
また登録された項目を抹消したい場合には、既に登録されている項目にカーソルを移動して決定するとその項目はカスタマイズメニュー２２から抹消される。
【００４６】
このようにして幾つかの項目を登録して、実際にそのカスタマイズメニュー２２を使用する場合には、図７（Ｃ）に示すように、カスタム設定メニュー２４の画面右下の“カスタム”にカーソル１８を移動し、決定キーを押す。この状態でアップキー、またはダウンキーを押すと項目“カスタム”の調整値が“入”に変わる。但し、項目が一つも登録されていない場合には項目“カスタム”の調整値は必ず“切”となる。この画面で調整値“入”にして決定キーを押すとその時点で階層型メニュー１１と同様の構成（図２参照）から、カスタマイズメニュー２２を最上位階層にした階層型メニュー２１（図５参照）に変化する。次に、図示しないメニューキーによってメニューをオンにすると、図６（Ａ）に示すカスタマイズメニュー２２がディスプレイ９の画面上に表示されるようになる。
【００４７】
以上説明したカスタマイズメニュー２２の状態遷移の管理は全て、図１に示すシステムマイコン５のプログラムによって制御されている。以下に、カスタマイズメニュー処理の流れをフロチャートを用いて説明する。
【００４８】
先ず、システムマイコン５は、図８に示すように、本体キー３及びリモコン４からの入力状態を検知する。即ち、本体キー３又はリモコン４からのキー入力があったかどうかを判別し、入力がない場合には再び入力の検知を行う（ステップＳＴ１、ＳＴ２）。
【００４９】
入力があった場合には、メニューの操作に必要な調整キーであるメニューキー、又はアップキー、又はダウンキー、又は決定キーであれば、判別したキーの種類による図９に示すメニューの処理を行なう。メニューの操作に必要でないキーの入力であればメニュー方式以外のキーの処理を行う（ステップＳＴ４、ＳＴ５）。
【００５０】
次に、メニューに必要な操作キーが入力された場合のメニューの処理について、図９のフローチャートを参照にして説明する。
【００５１】
まず、現在メニューがオンしているかどうかを判別する（ステップＳＴ６）。メニューがオフしている場合には、入力がメニューキーであったかどうかを判別する（ステップＳＴ７）。
【００５２】
入力がメニューキー以外であった場合には、メニューオフの状態なのでなにも行わないで処理を終了する。メニューキーであった場合には、カスタマイズメニューが“入”か“切”かを判別する（ステップＳＴ８）。
“切”の場合は、通常のメインメニュー１２をディスプレイ９の画面上に表示させる処理を行う（ステップＳＴ９）。
【００５３】
“入”の場合は、現在カスタマイズメニュー２２に登録されている項目を１行づつ表示し、最下行に項目「メインメニュー」を表示する処理を行う（ステップＳＴ１０）。
【００５４】
ステップ６においてメニューがオンしている場合には、先ず入力されたキーがメニューキーであったかどうかを判別する（ステップＳＴ１１）。メニューオン時にメニューキーが入力された場合には、メニュー画面をオフとする処理を行う（ステップＳＴ１２）。入力されたキーがアップキー、ダウンキーと判別された場合には、アップキー又はダウンキーの処理に移る（ステップＳＴ１３）。
【００５５】
アップキー又はダウンキーの処理は、現在のメニューの状態に基づいて、項目選択メニューの場合にはカーソル移動処理、又は調整値変更メニュー画面では調整値の変更を行う（ステップＳＴ１４）。
【００５６】
入力したキーが決定キーであるかを判別し、決定キーの場合には決定キーの処理に移る（この判別では入力が決定キーとなることは間違いないが念のため行っている）（ステップＳＴ１５）。
【００５７】
決定キーの処理は、各メニュー画面に従って決定動作を行う。調整項目選択画面だった場合には調整値変更メニュー画面に移行し、調整値変更メニュー画面であった場合には新たに変更された調整値を保持して調整項目選択画面に移行する（ステップＳＴ１６）。
【００５８】
このようにしてユーザが必要とする調整項目を予め選出したカスタマイズメニュー２２を作成するようにすれば、同一ルートを何回も階層的に操作することを回避して、目的とする調整項目の選定が迅速且つ簡単に行なえる。
【００５９】
尚、上記実施例において、カスタマイズメニュー２２の作成には、「カスタム設定」の項目を選定して作成するようになっているがこれに限定されることなく、要はユーザがたくさんの調整項目の内、必要とする調整項目の選定が迅速且つ簡単に行えれば良い。
【００６０】
例えば、ユーザが１度、又は数回選択した調整項目を自動的にカスタマイズメニューの項目としてリストアップしておいて、画面に表示するようにすれば、「カスタム選定」の作業は不要になる。更に、自動的にリストアップされた調整項目であっても、使用頻度の高い調整項目とそうでない調整項目の優先度をつけ、使用頻度の高い調整項目は、カスタマイズメニューの上位の列に上がるようにすれば、どの調整項目に使用頻度が高いか一目瞭然に解り、且つメニューを画面に表示する際に、使用頻度の一番高い調整項目の位置にカーソルがくるようにしておけば更に利便性を高めることができる。
【図面の簡単な説明】
【００６１】
【図１】本発明に係るカスタマイズメニューを備えた映像機器であるテレビジョンシステムの略示的な全体ブロック図である。
【図２】同テレビジョンシステムにおける階層型メニューの構成図である。
【図３】同テレビジョンシステムにおける階層型メニューにおける項目の画面表示である。
【図４】同テレビジョンシステムにおける階層型メニューにおける項目の画面表示である。
【図５】同テレビジョンシステムにおけるカスタマイズメニューを含んだ階層型メニューの構成図である。
【図６】同カスタマイズメニューの表示画面である。
【図７】同カスタマイズメニューの表示画面である。
【図８】同カスタマイズメニューのキー入力判別を行なう処理のフローチャート図である。
【図９】同カスタマイズメニュー関連のキー処理のフローチャート図である。
【符号の説明】
【００６２】
１：テレビジョンシステム、２：テレビジョン受像機本体、３：本体キー、４：リモコン受光部、５：システムマイコン、６：画面表示デバイス、７：映像信号処理ブロック、８：スイッチ、９：ディスプレイ（ＣＲＴ）、１１：階層型メニュー、１２：メインメニュー、１３：サブメニュー、１４：画質サブメニュー、１５：音質サブメニュー、１６：画面モードサブメニュー、１７：各種設定サブメニュー、１８：カーソル、１９：調整値、２０：画質調整値を変更するメニュー、２１：階層型メニュー、２２：カスタマイズメニュー、２３：調整値、２４：カスタム設定メニュー、２５：カスタム設定メニュー領域。
【図１】
2006099803.tif 000003
【図２】
2006099803.tif 000004
【図３】
2006099803.tif 000005
【図４】
2006099803.tif 000006
【図５】
2006099803.tif 000007
【図６】
2006099803.tif 000008
【図７】
2006099803.tif 000009
【図８】
2006099803.tif 000010
【図９】
2006099803.tif 000011